(57)【特許請求の範囲】
【請求項１】
フィーダを囲む矩形座標を持ち、当該矩形座標と表示領域の矩形座標をチェックし、重なるフィーダを検索して設備を特定した後、その各所属設備について表示領域に重なるものを検索して表示する配電線路図の表示方法において、
表示対象物の種別ごとに表示対象区間数の閾値を設定し、線路図表示の際、表示対象区間数を算出した後、表示対象区間数が表示対象物表示区間数閾値を越えているか否かを判定し、閾値を越えていたなら表示対象物表示は検索／表示しないようにし、前記閾値を区間数が越えていないなら表示対象物検索処理をして、表示対象物表示を行い、この判定および検索／表示処理を各表示対象物ごとに行って前記閾値以内の表示対象物のみを表示することを特徴とする配電線路図の表示方法。
【請求項２】
フィーダを囲む矩形座標を持ち、当該矩形座標と表示領域の矩形座標をチェックし、重なるフィーダを検索して設備を特定した後、その各所属設備について表示領域に重なるものを検索して表示する配電線路図の表示方法において、
表示対象物の種別ごとに表示対象物数の閾値を設定し、線路図表示の際、表示対象物検索処理を行ってから表示対象物数が表示対象物数閾値を越えているか否かを判定し、表示対象物数が当該閾値を越えていたなら、表示対象物表示は、検索／表示しないようにし、表示対象物数が当該閾値を越えていないなら、表示対象物表示を行い、この判定および検索／表示処理を各表示対象物ごとに行って前記閾値以内の表示対象物のみを表示することを特徴とする配電線路図の表示方法。
【発明の詳細な説明】
【０００１】
【発明の属する技術分野】
この発明は、配電線路図の粗密判定表示ができるようにした配電線路図の表示方法に関する。
【０００２】
【従来の技術】
最近の配電線路図表示装置は、配電設備の図形と名称を街路図に対応させて配電線路図上に表示させるように構成されている。従って、表示装置に配電線路図を表示させる際、表示中心と縮尺を指定すると、線路図上の表示対象領域を特定し、それに含まれる設備図形を検索して表示するようになっている。各設備または各設備のべ一スとなる基底設備には、地図上の座標を持っている。このため、上記表示対象領域を特定する際には、対象領域に含まれる座標の設備を検索することにより行うことができる。
【０００３】
しかし、配電設備の数は膨大であり、全設備を検索するのには非常に時間がかかり、実用的でない。そこで、図５に示す表示対象検索方式では、まず、フィーダ（配電線）Ａ〜Ｄ単位で、それらを囲む表示領域矩形の座標を保持し、最初に対象領域に重なる矩形をフィーダ検索処理して、大雑把に対象のフィーダＡ，Ｂを特定する。続いて、設備検索処理を行って、そのフィーダＡ，Ｂに所属する各設備の座標で詳細な検索を行う。これにより実用的な配電線路図を表示するようにしている。
【０００４】
また、通常、線路図表示では、図６に示すように縮尺を指定して拡大／縮小表示ができるように構成されている。その際、小さい縮尺（図６（ａ））では表示対象物が少ないので、すべての設備図形、設備名称を検索して表示するが、大きい縮尺（図６（ｂ），（ｃ））では表示対象物が多くなるので、見易さを保つため段階的に表示対象物を少なくしていく。例えば、図６（ａ）のように［線路図形・機器図形・機器名称］、図６（ｂ）のように［線路図形・設備図形］、図６（ｃ）のように［線路図形のみ］という具合である。
【０００５】
【発明が解決しようとする課題】
前記図６に示すように、配電線路図では縮尺を大きくするに連れて表示対象物の種類を減らす方式である。しかし、配電線は、都市部おいては密集して敷設され、周辺部は、配電線が広域に敷設されるという特徴がある。これを線路図に表示する際、同じ縮尺であっても都市部は密で周辺部は粗ということになる。
【０００６】
前記のように、中程度の縮尺ではそれほど表示対象物は減らないので、図７（ａ）に示すように、都市部の線路図は密でかなり見つらくなり、表示も遅くなる。また、大きな縮尺では、図７（ｂ）に示すように、周辺部は元々粗なのですべて表示したいのにもかかわらず、前述のように表示対象物が減らされてしまうので、要求は満たされない問題がある。
【０００７】
この発明は上記の事情に鑑みてなされたもので、設備の設置密度に応じて表示対象物の種類を設定して、常に最適な見易さを確保できるようにした配電線路図の表示方法を提供することを課題とする。
【０００８】
【課題を解決するための手段】
この発明は、上記の課題を達成するために、第１発明は、フィーダを囲む矩形座標を持ち、当該矩形座標と表示領域の矩形座標をチェックし、重なるフィーダを検索して設備を特定した後、その各所属設備について表示領域に重なるものを検索して表示する配電線路図の表示方法において、
表示対象物の種別ごとに表示対象区間数の閾値を設定し、線路図表示の際、表示対象区間数を算出した後、表示対象区間数が表示対象物表示区間数閾値を越えているか否かを判定し、閾値を越えていたなら表示対象物表示は検索／表示しないようにし、前記閾値を区間数が越えていないなら表示対象検索処理をして、表示対象物表示を行い、この判定および検索／表示処理を各表示対象物ごとに行って前記閾値以内の表示対象物のみを表示することを特徴とするものである。
【０００９】
第２発明は、フィーダを囲む矩形座標を持ち、当該矩形座標と表示領域の矩形座標をチェックし、重なるフィーダを検索して設備を特定した後、その各所属設備について表示領域に重なるものを検索して表示する配電線路図の表示方法において、
表示対象物の種別ごとに表示対象物数の閾値を設定し、線路図表示の際、表示対象物検索処理を行ってから表示対象物数が表示対象物数閾値を越えているか否かを判定し、表示対象物数が当該閾値を越えていたなら、表示対象物表示は、検索／表示しないようにし、表示対象物数が当該閾値を越えていないなら、表示対象物表示を行い、この判定および検索／表示処理を各表示対象物ごとに行って前記閾値以内の表示対象物のみを表示することを特徴とするものである。
【００１０】
【発明の実施の形態】
以下この発明の実施の形態を図面に基づいて説明する。図１はこの発明の実施の第１形態を示すフローチャートで、配電線路図表示方法の処理をステップＳ１の表示対象フィーダの検索処理から開始する。このステップＳ１の検索処理で検索された表示対象フィーダは、ステップＳ２の入出力部に送られる。ステップＳ１の検索処理が終わったなら、次に、表示対象線路検索処理をステップＳ３で行う。このステップＳ３の検索処理は、ステップＳ２からの表示対象フィーダが入力されてから行い、この検索処理により得られた表示対象線路は、ステップＳ４の入出力部に送られる。
【００１１】
ステップＳ３による検索処理の結果、表示対象線路が検索されたならステップＳ５で線路図形を表示する。このステップＳ５の線路図形表示と、ステップＳ２の表示対象フィーダ数およびステップＳ６で設定される機器図形表示フィーダ数の閾値が、ステップＳ７の判定処理に供給される。このステップＳ７で、フィーダ数＞フィーダ数閾値が「Ｙ」であるか、「Ｎ」であるかが判定される。判定の結果、表示対象フィーダ数が当該閾値を越えていた（「Ｙ」）なら機器図形表示は、検索／表示しないようにする。このような判定処理は、後述の機器名称表示にも適用する。
【００１２】
ステップＳ７の判定処理で、表示対象フィーダ数が当該閾値を越えていない（「Ｎ」）ならステップＳ８で表示対象機器検索処理を行う。この検索処理にステップＳ４の表示対象線路の処理条件も加味する。検索処理の結果、表示対象機器があったならステップＳ９の入出力部に表示対象機器を送る。その後、ステップＳ１０で機器図形表示を行う。この機器図形表示の後、再び、ステップＳ１１でフィーダ数＞フィーダ数閾値が「Ｙ」であるか、「Ｎ」であるかが判定される。
【００１３】
この判定処理は、ステップＳ１０の機器図形表示と、ステップＳ２の表示対象フィーダ数およびステップＳ１２の機器名称表示フィーダ数閾値によって行われる。判定の結果、表示対象フィーダ数が当該閾値を越えていた（「Ｙ」）なら機器名称表示は、検索／表示しないようにして処理を終了する。
【００１４】
また、判定の結果、当該閾値を越えていない（「Ｎ」）ならステップＳ１３で機器名称表示の処理を行って処理を終了する。この機器名称表示の処理の際には、ステップＳ９の表示対象機器の条件も加味する。
【００１５】
上記のように第１形態では、表示対象物の種別ごとに表示対象フィーダ数の閾値を設定できるデータを設けたので、線路図表示の際、表示対象フィーダ検索後に、表示対象物（機器図形、機器名称）の検索の直前において、表示対象フィーダ数が当該閾値を越えていたならば当該表示対象物は検索／表示しないように判定処理するようにした。この判定処理を各表示対象物ごとに行なうことによって、結果的に閾値以内の表示対象物のみが表示されるようになる。
【００１６】
図２はこの発明の実施の第２形態を示すフローチャートで、この図２において、第１形態と同一部分には、同一符号を付してその説明を省略する。
【００１７】
表示対象フィーダをステップＳ１で検索後、表示対象区間数をステップＳ２１で算出し、算出した表示対象区間数は、ステップＳ２２の入出力部に送られる。ステップＳ２１の処理が済んだなら、ステップＳ３、Ｓ５の処理を行った後に、ステップＳ２３の判定処理で区間数＞区間数閾値であるかを判定する。この判定処理には、ステップＳ５の線路図形表示と、ステップＳ２２の表示対象区間数およびステップＳ２４の機器図形表示区間数閾値によって行われる。
【００１８】
ステップＳ２３の判定処理の結果、表示対象区間数が、当該閾値を越えていた（「Ｙ」）なら機器図形表示は、検索／表示しないようにする。このような判定処理は、後述の機器名称表示にも適用する。ステップＳ２３の判定処理で、表示対象区間数が、当該閾値を越えていない（「Ｎ」）なら第１形態と同様にステップＳ８で表示対象機器検索処理、ステップＳ１０の機器図形表示を行う。その後、再び、ステップＳ２５で区間数＞区間数閾値が「Ｙ」であるか、「Ｎ」であるかが判定される。
【００１９】
この判定処理は、ステップＳ１０の機器図形表示と、ステップＳ２２の表示対象区間数およびステップＳ２６の機器名称表示区間数閾値によって行われる。判定の結果、表示対象区間数が、当該閾値を越えていた（「Ｙ」）なら機器名称表示は、検索／表示しないようにして処理を終了する。また、判定の結果、当該閾値を越えていない（「Ｎ」）ならステップＳ１３で機器名称表示の処理を行って処理を終了する。この機器名称表示の処理の際には、ステップＳ９の表示対象機器の条件も加味する。
【００２０】
上記のように第２形態では、表示対象物の種別ごとに表示対象区間数の閾値を設定できるデータを設け、線路図表示の際、表示対象フィーダ検索後、当該フィーダの所属区間数を求める。続いて、表示対象物の検索の直前において、表示対象区間数が、当該閾値を越えていたならば、当該表示対象物は検索／表示しないように判定処理する。この判定処理を各表示対象物ごとに行なうことによって、結果的に閾値以内の表示対象物のみが表示される。
【００２１】
図３はこの発明の実施の第３形態を示すフローチャートで、図３において、第１形態を同一部分には、同一符号を付してその説明を省略した。
【００２２】
第３形態では、ステップＳ５の線路図形表示の処理の後に、ステップＳ８の表示対象機器検索処理を行ってからステップＳ３１で機器数＞機器数閾値の判定処理を行う。この判定処理は、ステップＳ８の表示対象機器検索処理の結果と、ステップＳ９の表示対象機器およびステップＳ３２の機器図形表示機器数閾値によって行われる。
【００２３】
ステップＳ３１の判定処理の結果、機器数が、当該閾値を越えていた（「Ｙ」）なら機器図形表示は、検索／表示しないようにする。このような判定処理は、後述の機器名称表示にも適用する。ステップＳ３１の判定処理で、機器数が、当該閾値を越えていない（「Ｎ」）なら、ステップＳ１０の機器図形表示を行う。その後、再び、ステップＳ３３で機器数＞機器数閾値が「Ｙ」であるか、「Ｎ」であるかが判定される。
【００２４】
この判定処理は、ステップＳ１０の機器図形表示と、ステップＳ９の表示対象機器およびステップＳ３４の機器名称表示機器数閾値によって行われる。判定の結果、表示対象機器数が、当該閾値を越えていた（「Ｙ」）なら機器名称表示は、検索／表示しないようにして処理を終了する。また、判定の結果、当該閾値を越えていない（「Ｎ」）ならステップＳ１３で機器名称表示の処理を行って処理を終了する。この機器名称表示の処理の際には、ステップＳ９の表示対象機器の条件も加味する。
【００２５】
上記のように第３形態では、表示対象物の種別ごとに表示対象物数の閾値を設定できるデータを設け、線路図表示の際、表示対象フィーダ検索後、続いて表示対象物の検索を行ない、表示対象物数が当該閾値を越えていたならば、当該表示対象物は表示しないようにする。この判定処理を各表示対象物ごとに行なうことによって、結果的に閾値以内の表示対象物のみが表示される。
【００２６】
この発明の実施の形態では、設備の設置密度に応じて表示対象物の種類を設定できるので、常に最適な見易さを保持することができるようになる。例えば、図４（ａ），（ｂ）に示すように、都市部のように混んでいる場所では、中程度の縮尺でも表示対象物を減らして図形や名称が重ならないようにする。また、周辺部では大縮尺でも空いているのですべての表示対象物を表示する。この結果、中程度の縮尺では表示対象物はあまり減らないので、都市部は図形や名称が重なりかなり見づらいこと、また、大縮尺では表示対象物はかなり減るので、周辺部では空いているにもかかわらず見たい表示対象物が見れないことが解決できるようになる。
【００２７】
【発明の効果】
以上述べたように、この発明によれば、以下のような効果が得られる。
（１）常に最適な見易さを維持
従来、ある縮尺で線路図表示する際、場所によって設備の設置密度が異なっていても固定的に表示対象物の種類を決めているため、混んでいて見づらい場所があったり、空いていても見たい表示対象物が表示されない場所があったりした。この発明では混んでいる場所では表示物を減らし、空いている場所では表示対象物を増やすので、常に見易い表示となる効果がある。
（２）高速表示
従来、中程度の縮尺では表示物はあまり減らないので、都市部のように混んでいる所では図形や名称が重なり実用的でないにもかかわらず表示されてしまうので、余分な処理時間を要していたが、この発明では、都市部のように混んでいる所では表示物を減らすので、実用的な表示内容を高速で表示することができる利点がある。
【図面の簡単な説明】
【図１】この発明の実施の第１形態を示すフローチャート。
【図２】この発明の実施の第２形態を示すフローチャート。
【図３】この発明の実施の第３形態を示すフローチャート。
【図４】同一縮尺で粗密に応じて表示対象物が変化するときの説明図。
【図５】表示対象検索方式の説明図。
【図６】縮尺別表示方式の説明図。
【図７】同一縮尺での粗密の問題説明図。
【図１】
0003982112.tif 000002
【図２】
0003982112.tif 000003
【図３】
0003982112.tif 000004
【図４】
0003982112.tif 000005
【図５】
0003982112.tif 000006
【図６】
0003982112.tif 000007
【図７】
0003982112.tif 000008